(57)【要約】【解決手段】ロックピン９を有する回転レバー７は、ＩＣカード２０が交信位置近傍まで挿入されると回動し、上記ロックピン９をスライダ２に設けられている凹部１３へ係入する。この状態を自己保持型ソレノイド１１が保持する。この自己保持型ソレノイド１１　への解除電流の供給によって上記ロックピン９を外すべく逆方向へ回転するレバー張圧バネ１２とを備える。【効果】オペレータによるＩＣカードの挿入力（大きな力）が、凹部１３に入り込む回転力に変換されるので、ロック状態を解除するためのレバー張圧バネ１２の張力を大きく設定できるため誤動作が少なくなる。【選択図】　　　　図１
2004102409.tif 000002
【特許請求の範囲】
【請求項１】
ＩＣカードをホルダ本体に挿入すると、前記ＩＣカードに加える力によって、バネ弾性力に抗して、ＩＣカードと共に移動するスライダと、前記ＩＣカードが交信位置に達すると前記スライダに設けられた凹部に入り込んで前記バネ弾性力に抗してスライダを保持するロックピンとを含み、前記ロックピンを前記凹部から外して前記バネ弾性力によって前記ＩＣカードを排出させるＩＣカードホルダのロック機構であって、
前記ロックピンが設けられ、前記ＩＣカードが交信位置近傍まで挿入されると回動し、前記ロックピンを、その回動に伴って前記凹部に係入させる回転レバーと、
前記ロックピンが凹部に係入された状態で前記回転レバーを固定的に保持する電磁ソレノイドと、
前記電磁ソレノイドへの解除電流の供給によって前記ロックピンを外すべく逆方向へ回転するレバー張圧バネとを備えることを特徴とするＩＣカードホルダのロック機構。
【請求項２】
請求項１に記載のＩＣカードホルダのロック機構において、前記回転レバーは、回転中心点としての回転中心部と、一方の作用点としての前記ロックピンと、前記交信位置近傍における前記スライダによって押圧される、他方の作用点としてのレバー回転ピンとからなる回転クランクを有することを特徴とするＩＣカードホルダのロック機構。
【請求項３】
請求項１又は請求項２に記載のＩＣカードホルダのロック機構において、
前記電磁ソレノイドは、自己保持型ソレノイドであることを特徴とするＩＣカードホルダのロック機構。
【請求項４】
請求項１乃至請求項３の何れか１項に記載のＩＣカードホルダのロック機構において、
前記凹部は、
装着・取り外し可能な凹部金具と該凹部金具を保持する金具保持部とを備えることを特徴とするＩＣカードホルダのロック機構。
【発明の詳細な説明】
【０００１】
【発明の属する技術分野】
本発明は、ＩＣカードリーダライタ装置に備えるＩＣカードホルダのロック機構に関する。
【０００２】
【従来の技術】
近年の情報化社会におけるカードの役割は極めて大きい。金融機関における通帳の役割、流通過程における現金の役割、交通機関における乗車券の役割、等々多岐に渡っている。その結果、一人で何枚ものカードを持ち歩くことが当たり前の社会になっている。この状態を少しでも改善すべく記憶容量の大きいＩＣカードの普及が進んでいる。
【０００３】
かかるＩＣカードを用いて情報交換を実行するために不可欠なＩＣカードホルダには、ＩＣカードを交信位置に正確に保持するロック機構が備えられている。従来のロック機構について図を用いて説明する。最初に従来のロック機構の構成について説明し、続いて従来のロック機構の動作について説明する。
【０００４】
図７は、従来のロック機構の組み立て図である。
（ａ）は、平面図、（ｂ）は、側面図、（ｃ）は裏面図である。
図７に示すように、従来のロック機構では、ＩＣカード１００の先端を支持するカード支持部１０１と、スライダ１０２は一体となって移動するようにカード支持部・スライダ係合部１０３によって係合されている。スライダ１０２は、ホルダ本体１０４に一体化されているガイド１０５等によって移動方向がガイドされている。又、スライダ１０２は、スライダ戻しバネ１０６によってＩＣカード１００の排出方向に張力が加えられている。更に、スライダの先端には、ロックピン１０９を一時保持する凹部１１３が設けられている。
【０００５】
レバー１０７は、ホルダ本体１０４に固定されている回転中心部１０８を回転中心にして回転可能な状態に配置されている。このレバー１０７にはロックピン１０９が一体化して設けられている。更に、ソレノイド・レバー係合部１１０を介して吸引型ソレノイド１１１と係合されている。この吸引型ソレノイド１１１は、ホルダ本体１０４に固定されている。又、吸引型ソレノイド１１１の可動部先端には上記レバー１０７を押圧するレバー押圧バネ１１２を備えている。
【０００６】
図８は、従来のロック機構の動作説明図（その１）である。
図８は、ＩＣカードが挿入される前の主要構成部分の位置関係を表している。スライダ１０２は、スライダ戻しバネ１０６の張力によってホルダ本体１０４（図７）に一体成型されているスライダ止め凸部１１４に固定されている。
【０００７】
このとき吸引型ソレノイド１１１の先端に備えるレバー押圧バネ１１２の押圧力によって、レバー１０７には、回転中心部１０８を回転中心とする回転力ｆ１が加えられている。同様にしてロックピン１０９にも回転力ｆ２が加えられている。この回転力ｆ２はスライダ１０２へのＹ軸方向への押圧力になってレバー１０７がレバー押圧バネ１１２の押圧力によって回転するのを防止している。
【０００８】
使用者がホルダ本体１０４（図７）にＩＣカード１００（図７）を挿入し、Ｘ軸の負の方向へ押圧力Ｆ０を加えると、スライダ１０２は、スライダ戻しバネ１０６の張力に抗して（打ち勝って）ＩＣカード１００（図７）及びカード支持部１０１（図７）と一体になってＸ軸の負の方向へ移動を開始する。
【０００９】
このときレバー１０７は、ＩＣカードが挿入される前の状態を維持し続ける。ロックピン１０９も、回転力ｆ２が加えられている状態を維持し続ける。従って、スライダ１０２の側面はロックピン１０９と摺動し続けることになる。
【００１０】
図９は、従来のロック機構の動作説明図（その２）である。
図９は、ロック機構がＩＣカードを交信位置に所定の時間保持しているときの主要構成部分を表している。
スライダ１０２がＸ軸の負の方向に移動し続け、ついに先端に備える凹部１１３が、ロックピン１０９の位置に一致する。このとき回転中心部１０８を回転中心とする回転力ｆ２が加えられているロックピン１０９は凹部１１３へ入り込む。
【００１１】
同時に吸引型ソレノイド１１１の先端に備えるレバー押圧バネ１１２の押圧力によって、回転中心部１０８を回転中心とする回転力ｆ１が加えられている回転レバー１０７は、所定の角度回転する。その結果、吸引型ソレノイド１１１は突出状態になる。この状態で各構成部分は一時停止状態を保つ。この位置は、ＩＣカードと制御基板（図示してない）の情報交換を実行するための交信位置である。
【００１２】
この状態では、スライダ１０２を元の状態、即ち図８の状態に戻そうとするスライダ戻しバネ１０６の張力をスライダ１０２の凹部１１３に入り込んでいるロックピン１０９がうち消している。このロックピン１０９をスライダ１０２の凹部１１３に入り込んだ状態に維持しているのはレバー押圧バネ１１２の押圧力のみである。
【００１３】
ＩＣカード制御基板との情報交換が完了し、ＩＣカード１００（図７）の排出時になると、吸引型ソレノイド１１１にソレノイド電流が通電される。従って、吸引型ソレノイド１１１は吸引状態に移行し、回転中心部１０８を回転中心としてレバー１０７を反時計方向に回転させる。同時にロックピン１０９が、スライダ１０２の凹部１１３から外れる。その結果、スライダ戻しバネ１０６の張力によってスライダ１０２が元の状態、即ち図８の状態へ戻る。
【００１４】
【発明が解決しようとする課題】
以上説明した従来の技術には以下に説明する解決すべき課題が残されていた。・課題１
レバー押圧バネ１１２の押圧力は、ロックピン１０９がスライダ１０２の凹部１１３に入り込んだ状態を維持する保持力になっている。この押圧力は吸引型ソレノイド１１１の吸引方向と逆方向になっている。従って、レバー押圧バネ１１２の押圧力を吸引型ソレノイド１１１の吸引力よりも小さく設定する必要がある。その結果、ロックピン１０９の保持力が弱くなり、軽度の衝撃によってロック状態が解除されレバー１０７が反時計方向に回転してＩＣカード１００が排出されるという不都合な事態が発生しやすい。
【００１５】
・課題２
ロックピン１０９がスライダ１０２の凹部１１３に押し込まれた状態を維持する保持力を大きくするには、レバー押圧バネ１１２の押圧力を大きくする必要がある。更に、この押圧力に抗して吸引型ソレノイド１１１がレバー１０７を吸引するための吸引力を増加させる必要もある。吸引力を増加させるためにはソレノイド電流を大きく設定しなければならない。その結果、他の回路に与える悪影響、例えば、電源・電圧の瞬間的な低下等による誤動作の発生等、無視できない不都合が発生する。
【００１６】
・課題３
上記課題１及び課題２からも理解できるように、吸引型ソレノイド１１１の吸引力と、レバー押圧バネ１１２の押圧力とのバランスが重要な設計要素となってくる。ところが、ＩＣカードが挿入されていない状態、即ち、待機状態（この状態が最も時間的に長い）では、レバー押圧バネ１１２が押圧された状態に維持されている。
【００１７】
・課題４
上記のように、スライダ１０２が、Ｘ軸の負の方向へ移動する際にスライダ１０２の側面はロックピン１０９と摺動し続けている。先端に備える凹部１１３が、ロックピン１０９の位置に一致したときにロックピン１０９が、凹部１１３へ入り込む。この凹部１１３のくぼみは各構成要素との関わりから通常１ｍｍ前後に設定される。従って、スライダ１０２がＸ軸方向へ移動中に、Ｙ軸方向へ過度に揺れることは許されない。その結果、部品精度が要求され製品コストが上昇してしまう。
【００１８】
・課題５
吸引型ソレノイド１１１を用いているために製品の厚さ寸法が大きくなってしまい、小型化への市場ニーズに反することとなる。
【００１９】
【課題を解決するための手段】
本発明は以上の点を解決するため次の構成を採用する。
〈構成１〉
ＩＣカードをホルダ本体に挿入すると、上記ＩＣカードに加える力によって、バネ弾性力に抗して、ＩＣカードと共に移動するスライダと、上記ＩＣカードが交信位置に達すると上記スライダに設けられた凹部に入り込んで上記バネ弾性力に抗してスライダを保持するロックピンとを含み、上記ロックピンを上記凹部から外して上記バネ弾性力によって上記ＩＣカードを排出させるＩＣカードホルダのロック機構であって、上記ロックピンが設けられ、上記ＩＣカードが交信位置近傍まで挿入されると回動し、上記ロックピンを、その回動に伴って上記凹部に係入させる回転レバーと、上記ロックピンが凹部に係入された状態で上記回転レバーを固定的に保持する電磁ソレノイドと、上記電磁ソレノイドへの解除電流の供給によって上記ロックピンを外すべく逆方向へ回転するレバー張圧バネとを備えることを特徴とするＩＣカードホルダのロック機構。
【００２０】
〈構成２〉
構成１に記載のＩＣカードホルダのロック機構において、上記回転レバーは、回転中心点としての回転中心部と、一方の作用点としての上記ロックピンと、上記交信位置近傍における上記スライダによって押圧される、他方の作用点としてのレバー回転ピンとからなる回転クランクを有することを特徴とするＩＣカードホルダのロック機構。
【００２１】
〈構成３〉
構成１又は構成２に記載のＩＣカードホルダのロック機構において、上記電磁ソレノイドは、自己保持型ソレノイドであることを特徴とするＩＣカードホルダのロック機構。
【００２２】
〈構成４〉
構成１乃至構成３の何れか１項に記載のＩＣカードホルダのロック機構において、上記凹部は、装着・取り外し可能な凹部金具と該凹部金具を保持する金具保持部とを備えることを特徴とするＩＣカードホルダのロック機構。
【００２３】
【発明の実施の形態】
以下、本発明の実施の形態を具体例を用いて説明する。
〈具体例の構成〉
本発明では、ＩＣカードホルダ本体に固定された回転中心部を中心として回転するレバーを備え、このレバーにＩＣカードの交信位置近傍におけるオペレータのＩＣカード挿入力（強い力）をロックピンがスライダの凹部に入り込む（係入）回転運動に変換する第一の回転クランクと、スライダの凹部に入り込んだロックピンを強い自己保持力で保持する自己保持型ソレノイドと、保持状態のロックピンをロック状態から開放する第二の回転クランクとを備える。
【００２４】
オペレータがＩＣカードをＩＣカードホルダに挿入し、ＩＣカードと制御基板との交信位置近傍に近づくと、上記第一の回転クランクがオペレータのＩＣカード挿入力をスライダの凹部に入り込む回転運動に変換してロックピンを強い力（オペレータの挿入力）でスライダの凹部に入れ込む。このとき同時にレバー張圧バネに強い力が蓄積される。
【００２５】
スライダの凹部にロックピンが入り込むと自己保持型ソレノイドの磁気回路が閉ループを形成する。磁気回路に閉ループが形成されると、その強い自己保持力によってスライダの凹部にロックピンを入れ込んだ状態が保持される。この状態では軽度の衝撃によってロック状態が解除されない。
【００２６】
ロックピンをスライダの凹部から開放する時には自己保持型ソレノイドの自己保持力を開放し、レバー張圧バネに蓄積されている張力を上記第二の回転クランクが凹部からロックピンを外す方向の力に変換し、凹部からロックピンを外す方向に回転してロック状態を開放する。かかる機能を発揮させるために本発明によるＩＣカードホルダのロック機構は以下のように構成される。
【００２７】
図１は、本発明によるロック機構の組み立て図である。
（ａ）は、平面図、（ｂ）は、側面図、（ｃ）は裏面図である。
図１に示すように、本発明によるロック機構は、カード支持部１と、スライダ２と、カード支持部・スライダ係合部３と、ホルダ本体４と、ガイド５と、スライダ戻しバネ６と、レバー７と、回転中心部８（図（ｃ））と、ロックピン９（図（ｃ））と、ソレノイド・レバー係合部１０と、自己保持型ソレノイド１１と、レバー張圧バネ１２と、凹部１３と、レバー回転ピン１４（図（ｃ））と、回転ピン押圧部１５とを備える。
【００２８】
ＩＣカード２０の先端を支持するカード支持部１とスライダ２は、カード支持部・スライダ係合部３によって係合され一体となって移動する。スライダ２は、ホルダ本体４に一体化されているガイド５等によって移動方向がガイドされる。又、スライダ戻しバネ６によってＩＣカード２０の排出方向に張力が加えられる。更に、スライダの一部（図中右端）には、ロックピン９が入り込む凹部１３が設けられる。同様にスライダの一部（図中右端）には、レバー回転ピン１４を押圧する回転ピン押圧部１５が設けられる。
【００２９】
レバー７は、ＩＣカード２０の交信位置近傍における上記スライダ２の移動をロックピン９が凹部１３に入り込む回転運動に変換する第一の回転クランクの役割を果たす部分である。ホルダ本体４に固定されている回転中心部８が回転中心点としての役割を、ロックピン９がクランクの一方の作用点としての役割を、レバー回転ピン１４がクランクの他方の作用点としての役割をそれぞれ果たしている。かかる回転クランクとして作動するために、ホルダ本体４に固定されている回転中心部８を回転中心にして回転可能な状態に配置されている。
【００３０】
このレバー７は、ソレノイド・レバー係合部１０を介して自己保持型ソレノイド１１と係合されている。この自己保持型ソレノイド１１は、ホルダ本体４に固定されている。又、自己保持型ソレノイド１１の可動方向の延長線上に上記レバー７の回転を復元させるためのレバー張圧バネ１２がホルダ本体４に一端を固定された状態で配置されている。
【００３１】
尚、レバー７は、ＩＣカード２０が情報交信後に上記ロックピン９を外して上記スライダ戻しバネ６のバネ弾性力によってＩＣカード２０を排出させる第二の回転クランクの役割を果たす部分でもある。この第二の回転クランクは、上記回転中心部８が回転中心点としての役割を、上記ロックピン９がクランクの一方の作用点としての役割を、上記自己保持型ソレノイド１１と係合するソレノイド・レバー係合部１０がクランクの他方の作用点としての役割をそれぞれ果たしている。
【００３２】
〈具体例の動作〉
図２は、本発明によるロック機構の動作説明図（その１）である。
図２は、ＩＣカードが挿入される前の主要構成部分の位置関係を表している。スライダ２は、ホルダ本体４（図１）に一体成型されているレバー止め凸部２４に、レバー張圧バネ１２の張力によって、当接されている。
【００３３】
このとき自己保持型ソレノイド１１の磁路２１は、オープン状態になっている。又スライダ２の先端は、Ｙ軸上の原点に保持されている。スライダは、スライダ戻しバネ６（図１）によってＩＣカード２０の排出方向（Ｙ軸正方向）への張力を受け、図示していないスライダ止めによって位置決めされている。第一の回転クランク２２のレバー回転ピン１４と回転ピン押圧部１５とはｙ１離れた状態に保持されている。
【００３４】
オペレータがホルダ本体４（図１）にＩＣカード２０（図１）を挿入し、Ｙ軸の負の方向へスライダ戻しバネ６（図１）に抗する（打ち勝つ）押圧力Ｆ０を加えると、スライダ２は、ＩＣカード２０（図１）及びカード支持部１（図１）と一体になってＹ軸の負の方向へ移動を開始する。
【００３５】
図３は、本発明によるロック機構の動作説明図（その２）である。
スライダ２をカードと共に挿入方向（Ｙ軸負方向）へｙ１移動させたときの図である。
スライダ２の先端が−ｙ１に達するとレバー回転ピン１４と、回転ピン押圧部１５が接触する。この位置ではまだ第一の回転クランク２２は回転しない。従って、ロックピン９は、凹部１３に入り込んでいない。更に、第一の回転クランク２２が回転していないのでレバー７も回転しないため自己保持型ソレノイド１１の磁路２１もオープン状態のままである。
【００３６】
図４は、本発明によるロック機構の動作説明図（その３）である。
スライダ２をカードと共に挿入方向（Ｙ軸負方向）へ図３の位置から、更に、Δｙ移動させたときの図である。
上記図３までは、オペレータがＩＣカード２０（図１）にスライダ戻しバネ６（図１）に抗する押圧力Ｆ０を加えてスライダ２をカードと共に挿入方向（Ｙ軸負方向）へ移動させた。
【００３７】
しかし、上記図３までのスライダ２の移動（移動距離ｙ１）でレバー回転ピン１４と、回転ピン押圧部１５が接触している。従って、ここでは、オペレータがスライダ戻しバネ６（図１）に抗する押圧力Ｆ０に、レバー張圧バネ１２に抗する押圧力ΔＦとを加算した押圧力Ｆ０＋ΔＦをＩＣカード２０（図１）に加えてスライダ２を更にΔｙ移動させる。
【００３８】
このとき、第一の回転クランク２２は、レバー７と共に回転中心部８を回転中心として反時計方向へθ度回転する。従って、ロックピン９は、凹部１３へ入り込む。このとき、レバー７がこれ以上回転しなくなり、この位置でスライダ２の挿入は止まる。この位置でレバー７は反時計方向へθ度回転しているので自己保持型ソレノイド１１の磁路２１は、クローズ状態になりレバー張圧バネ１２に抗する、永久磁石による強い吸引力がレバー保持力となってレバー７に働くことになる。
【００３９】
図５は、本発明によるロック機構の動作説明図（その４）である。
スライダ２がＩＣカード２０の交信位置に一時保持されている状態を表す図である。
オペレータがＩＣカード２０に加える押圧力を緩めると、スライダ戻しバネ６（図１）の張力によってスライダ２は、ＩＣカード２０（図１）の排出方向（Ｙ軸正方向）へ戻される。
【００４０】
このときロックピン９は、凹部に入り込んでいるので、スライダ２がΔｙ戻ったときにロックピン９が凹部の図中の下側側面に接触して停止する。この状態がＩＣカード２０の交信位置にスライダ２が一時保持された状態である。このとき、レバー７は、自己保持型ソレノイド１１の強い保持力によって保持されている。即ち、軽度の衝撃によってロック状態が解除されることが無くなる。
【００４１】
次に、図５を用いて、第二の回転クランクの動作について説明する。ＩＣカード２０と制御基板（図示していない）の交信が終了して自己保持型ソレノイド１１にロック解除電流が流される。このとき磁路２１に、永久磁石に基づく磁束と反対方向に流れる磁束が励磁コイルによって励起される。その結果、自己保持型ソレノイド１１は瞬時に自己保持力を喪失する。そのときレバー張圧バネ１２の強い張力によって第二の回転クランク２３が時計方向に回転する。
【００４２】
その結果、ロックピン９が凹部１３から外れ、スライダ２をロック状態から解除する。スライダ２は、スライダ戻しバネ６（図１）の張力によってＹ軸正方向へ移動してＩＣカード２０（図１）をホルダ本体４（図１）から排出する。その後は、再び図２の状態に戻って同様の動作を繰り返す。以上で本発明によるＩＣカードのロック機構の動作の説明を終了する。
【００４３】
以上の説明では、凹部１３は、予めスライダ２に所定の形状に形成されているものとして説明した。しかし、本発明は、この例に限定されるものではない。他の拡張例について図を用いて説明する。
図６は、本発明によるロック機構の他の形態を表す平面図である。
（ａ）は、平面図であり、（ｂ）は、部分拡大断面（Ａ−Ａ）図である。
上記具体例との差異のみについて説明する。
拡張例によるスライダ３１は、凹部金具３２と、金具保持部３３とを備える。
【００４４】
凹部金具３２は、凹部のみを装着、取り外し可能に部品化した凹部の金具である。
金具保持部３３は、上記凹部金具３２をスライダ３１に保持すべく設けられた嵌合部分である。
以上の構成を採用することによって、スライダ３１を軽量、かつ廉価な高分子材料で構成し、金属で構成されているロックピン９との摺動部分のみに金属で構成した凹部金具３２を配置することが可能になる。
【００４５】
【発明の効果】
・ロックピン９とレバー回転ピン１４とを有するレバー７を備えることによって、以下の効果を得る。
（１）オペレータによるＩＣカードの挿入力（大きな力）が第一の回転クランク２２によって、ロックピン９がレバー張圧バネ１２の張力に抗して、凹部１３に入り込む回転力に変換されるので、ロック状態を解除するためのレバー張圧バネ１２の張力を大きく設定できるため誤動作が少なくなる。
（２）スライダ２をＸ軸方向へ移動する際にスライダ２の側面とロックピン９と摺動させる必要が無くなるためスライダの横揺れがある程度許されることになる。その結果、過度の部品精度が要求されることがなくなり、製品コストが下降する。
・電磁ソレノイドとして自己保持型ソレノイド１１を採用することによって、以下の効果を得る。
（３）自己保持型ソレノイド１１の閉ループ磁気回路における強い自己保持力によってロックピン９をスライダ２の凹部１３に押し込んだ状態に維持するため、軽度の衝撃によってロック状態が外れることが無くなる。
（４）ホルダ本体４を薄く、且つ、軽量にすることができる。
（５）ロック状態を外すために瞬時のみ通電すれば良いので消費電力及び通電電流とも小さくなり他の回路部分に及ぼす影響も少なくなる。
（６）自己保持型ソレノイド１１の閉ループ磁気回路における自己保持力は大きいので、レバー張圧バネ１２の張力を大きく設定できる（上記（１））ため、両者のバランスはあまり重要な設計要素にはならない。
・スライダの凹部のみを装着、取り外し可能な部品として構成することによって以下の効果を得る。
（７）スライダを軽量、かつ廉価な高分子材料で構成し、金属で構成されているロックピン９との摺動部分のみを凹部金具３２として金属で構成することが可能になりホルダ全体が軽量化される。
【図面の簡単な説明】
【図１】本発明によるロック機構の組み立て図である。
【図２】本発明によるロック機構の動作説明図（その１）である。
【図３】本発明によるロック機構の動作説明図（その２）である。
【図４】本発明によるロック機構の動作説明図（その３）である。
【図５】本発明によるロック機構の動作説明図（その４）である。
【図６】本発明によるロック機構の他の形態を表す平面図である。
【図７】従来のロック機構の組み立て図である。
【図８】従来のロック機構の動作説明図（その１）である。
【図９】従来のロック機構の動作説明図（その２）である。
【符号の説明】
１　カード支持部
２　スライダ
３　カード支持部・スライダ係合部
４　ホルダ本体
５　ガイド
６　スライダ戻しバネ
７　レバー
８　回転中心部
９　ロックピン
１０　ソレノイド・レバー係合部
１１　自己保持型ソレノイド
１２　レバー張圧バネ
１３　凹部
１４　レバー回転ピン
１５　回転ピン押圧部
２０　ＩＣカード
【図１】
2004102409.tif 000003
【図２】
2004102409.tif 000004
【図３】
2004102409.tif 000005
【図４】
2004102409.tif 000006
【図５】
2004102409.tif 000007
【図６】
2004102409.tif 000008
【図７】
2004102409.tif 000009
【図８】
2004102409.tif 000010
【図９】
2004102409.tif 000011